(57)【要約】【課題】複数の部材間にまたがって取り付けられる部材に生じる応力の発生を防止する取付部材および該取付部材を含む組立体を提供する【解決手段】取付部材２０は、第１の部材に取り付けられる本体部と、第２の部材３０に取り付けられる取付部２５と、前記本体部と前記取付部２５とを連結し且つ変形しやすく形成された応力吸収部２６と、を有する。【選択図】図３
2008208852.tif 000002
【特許請求の範囲】
【請求項１】
第１の部材と、前記第１の部材に取り付けられる第２の部材とを有する組立体に取り付けられ、且つ、前記第１の部材に取り付けられる本体部と、前記第２の部材に取り付けられる取付部とを有する取付部材であって、
前記本体部と前記取付部とを連結し、且つ、変形しやすく形成された応力吸収部を有することを特徴とする取付部材。
【請求項２】
前記応力吸収部は、前記本体部と前記取付部との少なくとも一方に生じる応力を吸収するように形成されたことを特徴とする請求項１に記載の取付部材。
【請求項３】
前記応力吸収部は、複数の折り曲げ部を有することを特徴とする請求項１または２に記載の取付部材。
【請求項４】
前記応力吸収部は、開口部を有することを特徴とする請求項１〜３のいずれか一項に記載の取付部材。
【請求項５】
第１の部材と、前記第１の部材に取り付けられる第２の部材と、前記第１の部材と前記第２の部材とにまたがって取り付けられる取付部材と、を有する組立体において、
前記取付部材は、請求項１〜４のいずれか一項に記載の取付部材であることを特徴とする組立体。
【発明の詳細な説明】
【技術分野】
【０００１】
本発明は、オーディオ装置やカーナビゲーション装置等を構成する取付部材および前記取付部材を含む組立体に関するものである。
【背景技術】
【０００２】
オーディオ装置やカーナビゲーション装置等のような複数の部材からなる組立体においては、互いに取り付けられて固定された複数の部材間にまたがって、他の部材が取り付けられる場合がある。
【０００３】
例えば、特許文献１に示されるカーステレオにおいて、カーステレオは、シャーシと、パワーＩＣ（Ｐｏｗｅｒ  Ｉｎｔｅｇｒａｔｅｄ  Ｃｉｒｃｕｉｔ）が実装された回路基板と、パワーＩＣを冷却する冷却装置と、を有しており、冷却装置が、シャーシとシャーシ上に固定された回路基板とにまたがって、取り付けられている。
【０００４】
通常、複数の部材が互いに取り付けられて構成される組立体では、各部材の形状寸法に製造上の誤差が生じることから、それら誤差の許容範囲を設定して、その許容範囲内の誤差を有する部材は、正常なものとして選別している。
【０００５】
しかしながら、前記誤差の許容範囲は、直接取り付けられる部材間での許容範囲を定めたものであり、上述の特許文献１においては、冷却装置が、その一部分はシャーシに固定され、他の一部分は回路基板を介してシャーシに固定される、即ち、３つ以上の部材が互いに取り付けられることから、各部材の寸法は許容誤差内であったとしても、前記他の一部分では、回路基板、即ち、中間に位置する部材の誤差も加算され、寸法の誤差が拡大して、許容範囲を超えてしまうことがある。そのため、取り付け時に部材のゆがみが生じ、該ゆがみによる応力によって、部材が損傷するなどの問題が生じることがあった。そのため、これら問題を解決するものとして、次に示す実施形態が提案されている。
【０００６】
従来の一実施形態であるオーディオ装置１０１を、図８〜１０に示す。オーディオ装置１０１は、シャーシ１１０と、チューナユニット１２０と、裏カバー１３０と、を有している。シャーシ１１０は、チューナユニット１２０を載置して取り付ける長方形板状のシャーシ底部１１１と、シャーシ底部１１１の横方向に位置する１組の辺から垂直に立設された一対のシャーシ側部１１２と、シャーシ底部１１１の縦方向に位置する一辺から垂直に立設され且つ一対のシャーシ側部１１２を互いに連結するシャーシ前部１１３と、で構成されている。一対のシャーシ側部１１２には、シャーシ前部１１３と接する端部とは反対に位置する端部に、シャーシ前部１１３と平行に配設された、一対の裏カバー取付部１１２ａが設けられており、さらに、裏カバー取付部１１２ａには、裏カバー１３０を締め付けて固定するネジ１４２と螺合する複数のネジ穴１１２ｂが配設されている。
【０００７】
チューナユニット１２０は、プリント基板１２２と、プリント基板１２２と電気的に接続され且つハンダ付けによりプリント基板１２２上に実装された角形のコネクタ１２３と、コネクタ１２３の先端部１２３ａが突出するようにコネクタ１２３の外面を覆うことでコネクタ１２３を保持しつつ、プリント基板１２２に固定するホルダ１２４と、プリント基板１２２を内包して保持するシールドケース１２１と、で構成される。
【０００８】
ホルダ１２４には、コネクタ１２３の先端部１２３ａ側に位置する端部に、矩形板状の一対の取付部１２５が、折り曲げ部１２６で互いに離れる向きに折り曲げられて連接されている。取付部１２５には、裏カバー１３０を締め付けて固定するネジ１４１と螺合するネジ穴１２５ａが配設されている。
【０００９】
裏カバー１３０は、シャーシ前部１１３と同形の長方形板状に形成されたカバーであり、その片面がシャーシ前部１１３内面と平行に向き合うように、シャーシ底部１１１の縦方向の他の一辺と接して、シャーシ１１０に取り付けられる。裏カバー１３０には、コネクタ１２３の先端部１２３ａが挿通される開口部１３１が、その中央部付近に設けられ、ネジ１４１が挿通される一対のネジ穴１３１ａが、開口部１３１の両側に設けられている。また、ネジ１４２が挿通される複数のネジ穴１３０ａが、裏カバー１３０の四隅にそれぞれ配設されている。
【００１０】
上記のシャーシ１１０とチューナユニット１２０と裏カバー１３０とは、互いに取り付けられて固定される。より詳細には、チューナユニット１２０が、そのシールドケース１２１に連接して配設された支持足１２１ａを、シャーシ底部１１１に設けられた図示しない取付穴に挿通して、シャーシ１１０に取り付けられて固定されたあと、裏カバー１３０が、ネジ穴１３０ａ、１１２ｂに挿通されたネジ１４２により、シャーシ１１０に固定され、そして、裏カバー１３０が、ネジ穴１３１ａ、１２５ａに挿通されたネジ１４１により、取付部１２５、即ち、チューナユニット１２０に取り付けられて固定される。
【００１１】
裏カバー１３０は、その四隅がシャーシ１１０に直接取り付けられ、また、開口部１３１、即ち、裏カバー１３０の中央部付近がチューナユニット１２０を介してシャーシ１１０に取り付けられることから、取付部１２５において、チューナユニット１２０の誤差が加算された寸法のずれが生じ、裏カバー１３０が撓んだ状態で取り付けられることがある。そのため、取付部１２５を介して、ホルダ１２４に応力が加わってしまうが、裏カバー１３０に向かって引っ張られる方向の応力Ａについては、取付部１２５の基端部である折り曲げ部１２６が変形することにより吸収していた。
【００１２】
より詳細には、図１１に示されるように、チューナユニット１２０が裏カバー１３０から離れる向き（図１１上方向）にずれる誤差が生じた場合、取付部１２５と裏カバー１３０との間に隙間が生じることから、裏カバー１３０が、オーディオ装置１０１内側に撓められて取り付けられるが、図１２に示されるように、折り曲げ部１２６が裏カバー１３０から、浮き上がるように湾曲して変形することで、取付部１２５に加わる応力Ａが吸収され、その結果、裏カバー１３０の撓みがなくなり、ホルダ１２４に加わる応力が軽減されていた。
【特許文献１】特開２００５−９３６６２
【発明の開示】
【発明が解決しようとする課題】
【００１３】
しかしながら、図１３に示されるように、チューナユニット１２０が裏カバー１３０に向かって（図１３下方向）ずれる誤差が生じた場合においては、図１４に示されるように、折り曲げ部１２６、即ち、ホルダ１２４が、裏カバー１３０を内側から突き出すようにして大きく撓めてしまい、ホルダ１２４に、直接裏カバー１３０からの応力Ｂが加わってしまう。そのため、折り曲げ部１２６で応力を吸収することができず、ホルダ１２４への応力により、それに保持されたコネクタ１２３にも応力が加わってしまい、コネクタ１２３のよじれ等が発生して、接触不良や断線などが生じるという問題が一例として挙げられていた。
【００１４】
したがって、本発明では、これら問題を解決するために、複数の部材間にまたがって取り付けられる部材に生じる応力の発生を防止する取付部材および該取付部材を含む組立体を提供することを課題とする。
【課題を解決するための手段】
【００１５】
上記課題を解決するため本発明によりなされた請求項１に記載の取付部材は、第１の部材と、前記第１の部材に取り付けられる第２の部材とを有する組立体に取り付けられ、且つ、前記第１の部材に取り付けられる本体部と、前記第２の部材に取り付けられる取付部とを有する取付部材であって、前記本体部と前記取付部とを連結し、且つ、変形しやすく形成された応力吸収部を有することを特徴とするものである。
【００１６】
請求項５に記載の組立体は、第１の部材と、前記第１の部材に取り付けられる第２の部材と、前記第１の部材と前記第２の部材とにまたがって取り付けられる取付部材と、を有する組立体において、前記取付部材は、請求項１〜４のいずれか一項に記載の取付部材であることを特徴とするものである。
【発明を実施するための最良の形態】
【００１７】
次に、本発明の上位構成について説明する。本発明における取付部材は、第１の部材と、前記第１の部材に取り付けられる第２の部材とを有する組立体に取り付けられ、且つ、前記第１の部材に取り付けられる本体部と、前記第２の部材に取り付けられる取付部とを有する取付部材であって、前記本体部と前記取付部とを連結し、且つ、変形しやすく形成された応力吸収部を有している。
【００１８】
上記取付部材は、本体部と取付部とを連結し、且つ、変形しやすく形成された応力吸収部を有していることから、第１の部材と第２の部材とに取付部材を取り付ける場合において、該応力吸収部が変形することによって、各部材間の寸法の誤差によって生じるゆがみを解消することができる。そのため、各部材をゆがめることなく互いに取り付けることが可能となり、該ゆがみにより発生する応力による取付部材の損傷を防止できる。
【００１９】
また、本発明による組立体は、第１の部材と、前記第１の部材に取り付けられる第２の部材と、前記第１の部材と前記第２の部材とにまたがって取り付けられる上述の取付部材と、を有している。
【００２０】
上記組立体は、上述の取付部材を有していることから、取付部材が有する応力吸収部が変形することにより、各部材のゆがみのない組立体を構成することができる。そのため、該ゆがみによる各部材の損傷および劣化を防止した組立体を構成することができる。
【実施例１】
【００２１】
次に、本発明の具体的な実施形態について、図１〜３を参照して説明する。請求項の組立体に相当するオーディオ装置１は、シャーシ１０と、チューナユニット２０と、裏カバー３０と、を有し、それぞれが互いに取り付けられる構造となっている。
【００２２】
シャーシ１０は、請求項の第１の部材に相当し、板金等で構成されており、チューナユニット２０を載置して取り付ける矩形状のシャーシ底部１１と、シャーシ底部１１の横方向に位置して相対する１組の辺から垂直に立設された一対のシャーシ側部１２と、シャーシ底部１１の縦方向に位置する一辺から垂直に立設され且つ一対のシャーシ側部１２を互いに連結するシャーシ前部１３と、で構成されている。
【００２３】
シャーシ底部１１には、チューナユニット２０が取り付けられる位置に、図示しない取付穴が設けられており、該取付穴に、後述するチューナユニット２０の支持足２１ａを挿入して、チューナユニット２０がシャーシ１０に固定される。シャーシ側部１２の垂直な１組の端部の一方には、シャーシ前部１３が直角をなして連接されており、他方には、短冊形状の裏カバー取付部１２ａが、その長辺を該他方端部に接して、シャーシ前部１３と平行するように連接して一体形成されている。
【００２４】
裏カバー取付部１２ａには、裏カバー３０を締め付けて固定するネジ４２を螺合するための、複数のネジ穴１２ｂが配設されている。ネジ穴１２ｂは、裏カバー取付部１２ａを打ち抜いて円筒部を形成し、その円筒部の内側にネジ溝が切られて形成されている。
シャーシ前部１３には、図示しない表示計器や操作ボタン等の部材が取り付けられる取付穴が設けられており、オーディオ装置１の組立工程にて、前記取付穴に前記部材が取り付けられるが、本発明の範囲外であるため、詳細説明は省略する。
【００２５】
チューナユニット２０は、請求項の取付部材に相当し、チューナ機能を実現する電子部品および回路パターンが配設されたプリント基板２２と、プリント基板２２と電気的に接続され且つプリント基板２２上に実装された角形のコネクタ２３と、コネクタ２３の先端部２３ａが突出するように、コネクタ２３の外面を覆って保持しつつ、プリント基板２２に固定されるホルダ２４と、プリント基板２２を内包して保持するシールドケース２１と、裏カバー３０をチューナユニット２０に取り付ける一対の取付部２５と、ホルダ２４と取付部２５とを連結する一対の支持部２６と、で構成されている。
【００２６】
プリント基板２２は、紙フェノールやガラスエポキシ等を基材とし、その表面および内層に配線パターンが形成された既存のものである。プリント基板２２は、その表面に後述のコネクタ２３、ホルダ２４、および、電子部品が実装されたあと、シールドケース２１に内包されて固定される。シールドケース２１は、板金等のノイズを遮断する基材からなり、その下端には、チューナユニット２０をシャーシ１０に固定する複数の支持足２１ａが、下方に向かって延設されている。また、シールドケース２１は、シャーシ１０内に配置された他の電子回路や、オーディオ装置１に近接された他の装置等から放出されるノイズから、プリント基板２２を電気的に保護するための、既存の部品である。
【００２７】
コネクタ２３は、合成樹脂からなる角柱形状のハウジングと、該ハウジング内に配設された端子とで構成されている、既存のものである。コネクタ２３の先端部２３ａには、相手コネクタと嵌合する嵌合部が設けられ、相手コネクタと嵌合されることで電気的に接続され、本実施形態においては、外部アンテナに接続された相手コネクタが嵌合される。また、コネクタ２３は、ハンダ付けにより、プリント基板２２の回路パターンと電気的に接続されて、プリント基板２２上に固定されている。なお、コネクタ形状については、上記角形に限定されるものではなく、プリント基板に実装可能なものであればどのような形状でもよい。
【００２８】
ホルダ２４は、板金等を基材として、コネクタ２３の外形に沿った形状に形成され、本実施形態においては、コネクタ２３が角形であることから、ホルダ２４は直方体形状に形成されている。また、コネクタ２３の先端部２３ａがホルダ２４から突出し、且つ、コネクタ２３がプリント基板２２と接して実装されるように、コネクタ２３の先端部２３ａが位置する面およびプリント基板２２と接する面が開口されている。ホルダ２４のプリント基板２２と接する一対の辺には、中央に挿通孔が設けられた一対の突部２４ａが設けられており、ホルダ２４は、該挿通孔にリベット２４ｂを挿通してかしめられることで、コネクタ２３を保持しつつ、プリント基板２２に取り付けられ固定される。なお、上述したシールドケース２１とプリント基板２２とコネクタ２３とホルダ２４とは、チューナユニット２０の本体部を構成しており、請求項の本体部に相当する。
【００２９】
ホルダ２４には、コネクタ２３の先端部２３ａが位置する側の端部に、左右方向に離れる方向に向かい形成された一対の支持部２６を介して、裏カバー３０を取り付けて固定する矩形状の一対の取付部２５が連接されている。また、ホルダ２４は、コネクタ２３を覆って保持するように配置されることで、コネクタ２３を保護するとともに、取付部２５を介して、電位の安定した裏カバー３０およびシャーシ１０に電気的に接続されて、コネクタ２３が発するノイズの放出を抑止している。
【００３０】
一対の支持部２６は、請求項の応力吸収部に相当し、ホルダ２４の端部に連接して一体形成され、スリット２６ａと、２つの折り曲げ部２６ｂとが配設されている。スリット２６ａは、支持部２６の中央部を打ち抜いて設けられた開口部である。２つの折り曲げ部２６ｂは、ホルダ２４および取付部２５と連接している端部にそれぞれ設けられており、ホルダ２４と取付部２５とが互いに直角をなすように、同方向に折り曲げられた箇所である。そして、２つの折り曲げ部２６ｂのそれぞれの角度が適切に調整されることで、取付部２５がホルダ２４に対して前後方向（図３上下方向）に移動される。
【００３１】
また、支持部２６は、シャーシ１０または裏カバー３０に当接しないように位置づけられており、それによって、支持部２６がシャーシ１０または裏カバー３０に当接してつかえてしまい、応力が吸収できなくなることを防いでいる。支持部２６は、スリット２６ａと２つの折り曲げ部２６ｂとを有することにより、他の部分に比して変形しやすくなっており、支持部２６が変形することにより、各部材の取付時または取付後に、取付部２５またはホルダ２４に対して生じる応力を吸収することができる。なお、支持部２６の形状は、上記に限るものではなく、他の部分より変形しやすく、変形によって応力が吸収できるものであれば、どのような形状でもよい。
【００３２】
一対の取付部２５は、請求項の取付部に相当し、支持部２６を介して、ホルダ２４に連接して一体形成された矩形状の平板部であり、その中央部分には、ネジ４１と螺合するネジ穴２５ａが配設されている。ネジ穴２５ａは、裏カバー取付部１２ａに設けられたネジ穴１２ｂと同様に、その内部にネジ溝が切られている。一対の取付部２５には、ネジ４１とネジ穴１２ｂとが、裏カバー３０を互いの間に挟んで締め付けられることで、裏カバー３０が取り付けられる。
【００３３】
なお、請求項の取付部材に相当するチューナユニット２０は、複数の部品で構成されているが、取付部材はこれに限定されるものではなく、例えば、本体と取付部が一体形成された一つの部品であるなど、どのような構成でもよい。
【００３４】
裏カバー３０は、請求項の第２の部材に相当し、シャーシ前部１３と同形の長方形板状に形成された部材であり、その片面がシャーシ前部１３内面と平行して向き合うように、シャーシ底部１１の縦方向の他の一辺と接してシャーシ１０に取り付けられ、シャーシ１０内の空間の一面を画定している。裏カバー３０には、その中央部付近に、コネクタ外形より一回り大きい同形状の開口部３１が設けられ、開口部３１の両側に、ネジ４１が挿通される一対の長穴状のネジ穴３１ａが設けられている。コネクタ２３には、外部アンテナを接続するための図示しないコネクタが接続されるため、コネクタ２３の先端部２３ａが、開口部３１に挿通されて、裏カバー３０の外面から突出するように配設される。また、裏カバー３０には、裏カバー３０をシャーシ１０に取り付けて固定するためのネジ４２が挿通される複数のネジ穴３０ａが、その四隅にそれぞれ配設されている。
【００３５】
ネジ穴３１ａは、上述した折り曲げ部２６ｂの折り曲げ角度が変更されることに伴い、取付部２５のネジ穴２５ａの間隔が変更されることから、その場合においても裏カバー３０の取り付けを可能とするために、その長径が横方向（図１拡大図の左右方向）に沿った長穴に形成されている。なお、ネジ穴３１ａの形状は、これに限らず、ネジ４１の横方向のずれを吸収できるものであれば、どのような形状でもよい。また、ネジ穴３１ａを、ネジ径より大きく、ネジ頭の径よりも小さい円形（いわゆる、バカ穴）とすることで、横方向に加え縦方向（図１拡大図の上下方向）のずれも吸収することが可能となる。
【００３６】
次に、本実施形態において、上述したシャーシ１０、チューナユニット２０、および、裏カバー３０の取り付けについて、図４〜７を参照して説明する。
【００３７】
最初に、チューナユニット２０が、そのシールドケース２１に連接して配設された支持足２１ａをシャーシ底部１１に設けられた図示しない取付穴に挿通して、シャーシ１０に取り付けられて固定される。そして、裏カバー３０が、ネジ穴３０ａ、１２ｂに挿通されたネジ４２により、シャーシ１０に固定されたあと、ネジ穴３１ａ、２５ａに挿通されたネジ４１により、取付部２５、即ち、チューナユニット２０に固定されて、それぞれの部材が互いに取り付けられる。
【００３８】
このとき、裏カバー３０は、その四隅がシャーシ１０に直接取り付けられ、開口部３１付近がチューナユニット２０を介してシャーシ１０に取り付けられることから、取付部２５において、チューナユニット２０の誤差が加算された寸法のずれが生じ、取付部２５と裏カバー３０とが正常に当接しない状態が起こりうる。
【００３９】
図４は、チューナユニット２０が、裏カバー３０から離れる向き（図４上方向）にずれる誤差が生じた状態を示している。この状態において、裏カバー３０を取付部２５に固定するために、ネジ穴３１ａに挿通したネジ４１を、ネジ穴２５ａに螺合して締めていく。すると、取付部２５が裏カバー３０に当接するように引っ張られ、支持部２６が変形して、折り曲げ部２６ｂの折り曲げ角度が、ホルダ２４と取付部２５とがなす角度（即ち、直角）を保ちつつ、一対の取付部２５に設けられたネジ穴２５ａの間隔が狭まる（Ｗ→Ｗ１、Ｗ＞Ｗ１）ように、適切に調整されて、図５に示されるように、取付部２５をより裏カバー３０に近づけ、裏カバー３０を撓めることなく当接させて固定することができる。
【００４０】
図６は、チューナユニット２０が、裏カバー３０に向かって（図６下方向）にずれる誤差が生じた状態を示している。この状態において、裏カバー３０をシャーシ１０に固定するために、ネジ穴３０ａに挿通したネジ４２を、ネジ穴１２ｂに螺合して締めていく。すると、取付部２５が裏カバー３０によってシャーシ１０内側に向かって押し込まれ、支持部２６が変形して、折り曲げ部２６ｂの折り曲げ角度が、一対の取付部２５に設けられたネジ穴２５ａの間隔が広がる（Ｗ→Ｗ２、Ｗ＜Ｗ２）ように、適切に調整されて、図７に示されるように、取付部２５をよりシャーシ１０内側に位置づけ、裏カバー３０を撓めることなく当接させて固定することができる。
【００４１】
また、上記のシャーシ１０、チューナユニット２０、および、裏カバー３０が互いに組み付けられたあとに、例えば、シャーシ１０や裏カバー３０に外力が加えられるなど、それらがゆがめられた場合においても、支持部２６は、他の部分に比して変形しやすく形成されていることから、自らが変形して前記外力による各部材のゆがみを吸収し、シャーシ１０や裏カバー３０を変形を防ぎつつ、それらの取付状態を維持することができる。
【００４２】
上述の通り、本実施形態においては、取付部２５とホルダ２４（即ち、チューナユニット２０の本体部）とが、支持部２６によって連結されていることから、支持部２６が変形することによって、各部材の寸法の誤差によって生じるゆがみや、組立後のオーディオ装置１に対して加えられる外力によるゆがみ等を解消して、取付部２５またはホルダ２４に生じる応力の発生を防止できる。そのため、取付部２５またはホルダ２４に生じる応力による、コネクタ２３の接続不良や断線、および、各部材に生じるゆがみによる部材の損傷や劣化などを防ぐことができる。
【００４３】
また、支持部２６が、２つの折り曲げ部２６ｂを有していることから、それら折り曲げ角度を調整することで、取付部２５の位置を、ホルダ２４と取付部２５との角度を保ったまま、前後方向（図３上下方向）に移動することができる。そのため、各部材間の誤差を吸収するとともに、それらの誤差の許容範囲を広げることができ、許容範囲が広がることで、各部材の製造歩留まりが向上し、製造効率を向上させることができる。
【００４４】
なお、本実施例においては、支持部２６の折り曲げ部を２つとしたが、これに限定されることはなく、例えば、蛇腹構造のようにするなどして、折り曲げ部を３つ以上としてもよい。また、折り曲げ構造に限らず、他の部分より変形しやすく形成されていて、部材のずれやゆがみを吸収できるものであれば、どのような構造でもよい。
【００４５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４６】
【図１】本発明にかかる実施例１の取付構造を有するオーディオ装置の斜視図である。
【図２】図１のオーディオ装置を構成するチューナユニットの正面図である。
【図３】図１のオーディオ装置において、チューナユニットと裏カバーとが取り付けられた状態の平面図である。
【図４】図１のオーディオ装置において、チューナユニットがシャーシ内側にずれた場合の、チューナユニットと裏カバーとの位置関係を説明する平面図である。
【図５】図１のオーディオ装置において、チューナユニットがシャーシ内側にずれた場合の、チューナユニットと裏カバーとを取り付けた状態を説明する平面図である。
【図６】図１のオーディオ装置において、チューナユニットがシャーシ外側にずれた場合の、チューナユニットと裏カバーとの位置関係を説明する平面図である。
【図７】図１のオーディオ装置において、チューナユニットがシャーシ外側にずれた場合の、チューナユニットと裏カバーとを取り付けた状態を説明する平面図である。
【図８】従来の取付構造を有するオーディオ装置の斜視図である。
【図９】図８のオーディオ装置を構成するチューナユニットの正面図である。
【図１０】図８のオーディオ装置において、チューナユニットおよび裏カバーが取り付けられた状態の平面図である。
【図１１】図８のオーディオ装置において、チューナユニットがシャーシ内側にずれた場合の、チューナユニットと裏カバーとの位置関係を説明する平面図である。
【図１２】図８のオーディオ装置において、チューナユニットがシャーシ内側にずれた場合の、チューナユニットと裏カバーとを取り付けた状態を説明する平面図である。
【図１３】図８のオーディオ装置において、チューナユニットがシャーシ外側にずれた場合の、チューナユニットと裏カバーとの位置関係を説明する平面図である。
【図１４】図８のオーディオ装置において、チューナユニットがシャーシ外側にずれた場合の、チューナユニットと裏カバーとを取り付けた状態を説明する平面図である。
【符号の説明】
【００４７】
１      オーディオ装置（組立体）
１０    シャーシ（第１の部材）
２０    チューナユニット（取付部材）
２１    シールドケース（本体部）
２２    プリント基板（本体部）
２３    コネクタ（本体部）
２４    ホルダ（本体部）
２５    取付部
２６    支持部（応力吸収部）
３０    裏カバー（第２の部材）
【図１】
2008208852.tif 000003
【図２】
2008208852.tif 000004
【図３】
2008208852.tif 000005
【図４】
2008208852.tif 000006
【図５】
2008208852.tif 000007
【図６】
2008208852.tif 000008
【図７】
2008208852.tif 000009
【図８】
2008208852.tif 000010
【図９】
2008208852.tif 000011
【図１０】
2008208852.tif 000012
【図１１】
2008208852.tif 000013
【図１２】
2008208852.tif 000014
【図１３】
2008208852.tif 000015
【図１４】
2008208852.tif 000016